(57)【要約】【課題】  赤外線伝送自動温度制御の負荷装置の提供。【解決手段】  環境温度を検出する温度センサが増設された赤外線リモコン発射装置と、負荷装置に取り付けられ並びに電気的にリモコン受信器に接続されて該赤外線リモコン発射装置の信号を受信並びに処理するコントローラと、前述のコントローラにより駆動されるファンモータ駆動システムと、を具え、使用者の位置移動及びその設定状態により、リアルタイムに反応して自動温度制御調整を行なう。【選択図】        図１
0003110031.tif 000002
【実用新案登録請求の範囲】
【請求項１】
赤外線伝送自動温度制御の負荷装置において、
環境温度を検出する温度センサが取り付けられているほか複数の赤外線発射装置を具えた赤外線リモコン発射装置と、
負荷装置に取り付けられ並びに電気的にリモコン受信器に接続されて該赤外線リモコン発射装置の信号を受信並びに処理するコントローラと、
前述のコントローラにより駆動されるファンモータ駆動システムと、を具えたことを特徴とする、赤外線伝送自動温度制御の負荷装置。
【請求項２】
請求項１記載の赤外線伝送自動温度制御の負荷装置において、コントローラが電気的に表示装置に接続され、該表示装置が赤外線伝送自動温度制御の負荷装置の状態を表示することを特徴とする、赤外線伝送自動温度制御の負荷装置。
【請求項３】
請求項１又は請求項２記載の赤外線伝送自動温度制御の負荷装置において、コントローラが電気的にキー入力システムに接続され、該キー入力システムは使用者による手動方式での入力に供され並びに該入力により現出される状態が表示されることを特徴とする、赤外線伝送自動温度制御の負荷装置。
【請求項４】
請求項１記載の赤外線伝送自動温度制御の負荷装置において、赤外線リモコン発射装置の複数の赤外線発射装置がそれぞれ赤外線リモコン発射装置のケースの前端、左側、右側、上部、及び底部等の外側位置に対応することを特徴とする、赤外線伝送自動温度制御の負荷装置。
【請求項５】
請求項１記載の赤外線伝送自動温度制御の負荷装置において、ファンモータ駆動システムの制御にコントローラに電気的に接続された複数のＴＲＩＡＣが採用されたことを特徴とする、赤外線伝送自動温度制御の負荷装置。
【請求項６】
請求項１記載の赤外線伝送自動温度制御の負荷装置において、ファンモータ駆動システムの制御にコントローラに電気的に接続された一つのＴＲＩＡＣが採用され並びに位相分割方式により制御されることを特徴とする、赤外線伝送自動温度制御の負荷装置。
【考案の詳細な説明】
【技術分野】
【０００１】
本考案は一種の赤外線伝送自動温度制御の負荷装置に係り、特に無方向性赤外線リモコン機能を具えた赤外線伝送自動温度制御の負荷装置に関する。
【背景技術】
【０００２】
自動温度制御の負荷装置は徐々に消費者に重視されるようになり、例えば自動温度制御ファンは使用者に快適な環境温度を提供できる。
【０００３】
周知の自動温度制御の負荷装置の応用例には、特許文献１に記載の自動温度制御ファンがあり、その温度制御の方式はファン本体に温度センサが設けられ、環境温度を測定して風量を調節する。また特許文献２に記載の温度制御ファンは、ファンに温度センサが設けられ、該温度センサがファンモータと共にコントローラに接続され、ファンモータが温度センサの測定した温度と設定温度値或いは手動設定温度値との比較により回転速度調整を行ない、気温調節の機能を達成する。
【０００４】
前述の周知の技術は、その温度制御の範囲の環境はファンの温度センサ付近に制限され、使用者の位置の移動により即時に自動温度制御調整を行なえない。このため、自動温度制御負荷装置に赤外線リモコン発射装置を取り付けて使用者が負荷装置の各種状態を制御できるようにしたものもある。しかし、このような周知の赤外線リモコン発射装置には赤外線発射装置が発射端として設置され、リモコン使用時に、赤外線リモコン発射装置の発射端を負荷装置に取り付けられた赤外線受信端に向けなければならず、そうでなければ赤外線リモコン発射装置の発射した信号を負荷装置の赤外線受信端に伝送できず、則ち赤外線受信端が信号を受け取れない。このため周知の赤外線リモコン発射装置は発射信号による制御上の不便がある。
【０００５】
【特許文献１】台湾特許公告第５４０６４６号明細書
【特許文献２】台湾特許公告第Ｍ２５００５３号明細書
【考案の開示】
【考案が解決しようとする課題】
【０００６】
本考案の目的は、一種の赤外線伝送自動温度制御の負荷装置を提供することにあり、それは温度センサが取り付けられた赤外線リモコン発射装置を具え、該温度センサが使用者の位置の移動及びその設定状態によりリアルタイムに反応して自動温度制御調整を行なうものとされる。
【０００７】
本考案のもう一つの目的は、一種の赤外線伝送自動温度制御の負荷装置を提供することにあり、それは、赤外線リモコン発射装置、コントローラ、及びファンモータ駆動システムを具えている。そのうち、該赤外線リモコン発射装置に温度センサが取り付けられて環境温度の検出に用いられる。該コントローラは負荷装置に取り付けられ、並びに電気的にリモコン受信器に接続されて赤外線リモコン発射装置の信号を受け取り並びに処理する。該ファンモータ駆動システムは前述のコントローラにより駆動される。
【０００８】
本考案によると、該赤外線リモコン発射装置に複数の赤外線発射装置が取り付けられ、該赤外線発射装の発射端が赤外線リモコン発射装置のケースの前端、左側、右側、上部、及び底部等の外側位置に対応し、複数及び広角度の信号発射を提供し、これにより無方向性赤外線リモコン発射装置の機能を達成する。
【０００９】
本考案はまたコントローラが電気的に表示装置に接続され、該表示装置が該赤外線伝送自動温度制御の負荷装置の状態を表示する。
【００１０】
本考案はさらにキー入力システムが設けられて前述のコントローラと表示装置に電気的に接続され、使用者が手動方式で入力し並びに該入力が現出する状態を表示することができる。
【課題を解決するための手段】
【００１１】
請求項１の考案は、赤外線伝送自動温度制御の負荷装置において、
環境温度を検出する温度センサが取り付けられているほか複数の赤外線発射装置を具えた赤外線リモコン発射装置と、
負荷装置に取り付けられ並びに電気的にリモコン受信器に接続されて該赤外線リモコン発射装置の信号を受信並びに処理するコントローラと、
前述のコントローラにより駆動されるファンモータ駆動システムと、を具えたことを特徴とする、赤外線伝送自動温度制御の負荷装置としている。
請求項２の考案は、請求項１記載の赤外線伝送自動温度制御の負荷装置において、コントローラが電気的に表示装置に接続され、該表示装置が赤外線伝送自動温度制御の負荷装置の状態を表示することを特徴とする、赤外線伝送自動温度制御の負荷装置としている。
請求項３の考案は、請求項１又は請求項２記載の赤外線伝送自動温度制御の負荷装置において、コントローラが電気的にキー入力システムに接続され、該キー入力システムは使用者による手動方式での入力に供され並びに該入力により現出される状態が表示されることを特徴とする、赤外線伝送自動温度制御の負荷装置としている。
請求項４の考案は、請求項１記載の赤外線伝送自動温度制御の負荷装置において、赤外線リモコン発射装置の複数の赤外線発射装置がそれぞれ赤外線リモコン発射装置のケースの前端、左側、右側、上部、及び底部等の外側位置に対応することを特徴とする、赤外線伝送自動温度制御の負荷装置としている。
請求項５の考案は、請求項１記載の赤外線伝送自動温度制御の負荷装置において、ファンモータ駆動システムの制御にコントローラに電気的に接続された複数のＴＲＩＡＣが採用されたことを特徴とする、赤外線伝送自動温度制御の負荷装置としている。
請求項６の考案は、請求項１記載の赤外線伝送自動温度制御の負荷装置において、ファンモータ駆動システムの制御にコントローラに電気的に接続された一つのＴＲＩＡＣが採用され並びに位相分割方式により制御されることを特徴とする、赤外線伝送自動温度制御の負荷装置としている。
【考案の効果】
【００１２】
本考案は赤外線伝送自動温度制御の負荷装置を提供し、それは、環境温度を検出する温度センサが増設された赤外線リモコン発射装置と、負荷装置に取り付けられ並びに電気的にリモコン受信器に接続されて該赤外線リモコン発射装置の信号を受信並びに処理するコントローラと、前述のコントローラにより駆動されるファンモータ駆動システムと、を具え、使用者の位置移動及びその設定状態により、リアルタイムに反応して自動温度制御調整を行なう。
【考案を実施するための最良の形態】
【００１３】
本考案の赤外線伝送自動温度制御の負荷装置はここでは自動温度制御ファンへの実施例を以て記載されるが、その他の応用例えばヒーター、クーラー或いは温度制御機能を具えた電気設備或いは製品はいずれもこれに含まれる。本考案の明細書に定時される自動温度制御ファンの実施例の内容は本考案の実施範囲を限定するものではない。
【００１４】
図１は本考案の実施例の赤外線伝送自動温度制御の負荷装置のシステムブロック図である。該赤外線伝送自動温度制御の負荷装置は赤外線リモコン発射装置１０、コントローラ２０、及びファンモータ駆動システム３０を具えている。
【００１５】
該赤外線リモコン発射装置１０は温度センサ１２及び複数の赤外線発射装置（図示せず）を具え、これら赤外線発射装置の発射端は赤外線リモコン発射装置１０のケースの前端、左側、右側、上部、及び底部等の外側位置に対応し、複数及び広角度の信号発射を提供し、無方向性赤外線リモコン発射装置の機能を達成する。或いは該赤外線リモコン発射装置１０に少なくとも二つの異なる位置の赤外線発射装置が設けられる。
【００１６】
該コントローラ２０は負荷装置に取り付けられ、並びにリモコン受信器２２に電気的に接続され、赤外線リモコン発射装置１０の信号の受け取り並びに処理を行なう。該コントローラ２０は更に電気的にキー入力システム２４及び表示装置２６に接続され、該キー入力システム２４及び表示装置２６は使用者の手動方式での入力と入力による現出される状態の表示に供される。
【００１７】
該ファンモータ駆動システム３０は前述のコントローラ２０により駆動され、並びに電源システム３２で電気エネルギーが該コントローラ２０及び該ファンモータ駆動システム３０に供給される。
【００１８】
図２は本考案の実施例の赤外線伝送自動温度制御の負荷装置の電気回路図である。それは前述のコントローラ２０、リモコン受信器２２、キー入力システム２４、表示装置２６、ファンモータ駆動システム３０、及び電源システム３２を具えている。そのうち、該キー入力システム２４は複数のキー、例えばＯＦＦ／ＯＮキーを具え、切断状態で該ＯＦＦ／ＯＮキーを押すとファンが起動される（直接ファンを起動）。ＳＰＤキー（風速キー）はファン風速の選択に用いられる。ＴＩＭＥキーは全機の定時停止を設定するのに用いられる。ＯＳＣキーはファンの首振り設定に用いられる。
【００１９】
キー入力システム２４により使用者が入力を行なうと、表示装置２６が設定状態を表示し、例えば０．５Ｈの指示ランプが点灯すれば設定定時時間が０．５時間であることを表示し、これから類推されるように、１Ｈ、２Ｈ、及び４Ｈの指示ランプが点灯すれば、それぞれ設定定時時間が１時間、２時間、及び４時間であることを表示する。Ｈ、Ｍは高速、中速のファン速度指示ランプを表示し、Ｌ／ＲＹは低速／自然風指示ランプの表示状態を示しＰＳ／ＦＮは設定モードの指示ランプ表示状態を表示する。
【００２０】
該ファンモータ駆動システム３０の制御には複数のＴＲＩＡＣが採用されて、それぞれ前述のコントローラ２０に電気的に接続され、それぞれファンの低速、中速、高速及びファン首振りの揺動状態（例えば図中に示されるＦＡＮ−Ｌ、ＦＡＮ−Ｍ、ＦＡＮ−Ｈ、ＯＳＣ）の制御に用いられる。
【００２１】
次に、図３は本考案の実施例の赤外線伝送自動温度制御の負荷装置の別の電気回路図である。本考案のファンモータ駆動システム３０Ａの制御にはＴＲＩＡＣが採用されてコントローラ２０Ａに電気的に接続され、並びに位相分割方式により、ファンを制御して多段風速を具備させる（図中に表示させるＦＡＮの如し）。
【００２２】
この技術に習熟する者であれば分かるように、該ＴＲＩＡＣのゲート信号電流を調整することでＴＲＩＡＣの導電位相角を改変でき、負荷に出力するパワーを改変させられる。言い換えると、前述のＴＲＩＡＣが電気的にコントローラ２０Ａに接続され、並びに位相切断方式により、ファンの多段風速制御が達成される。
【００２３】
前述の説明から分かるように、本考案の実施例に提示されるリモコン受信器２２は随時該無方向性赤外線リモコン発射装置１０の発射する信号を受け取り、コントローラ２０がそれを処理及び対比した後の出力信号により負荷が風速等の自動切り換えを行ない、使用者にその環境下で快適さを感じさせる。例えば環境温度が温度の設定値より高い時、該ファンモータ駆動システムは風量制御の風速レベルを自動的にハイレベルに切り換え、これにより環境温度を迅速に下げる。反対に、環境温度が温度の設定値より低い時、該ファンモータ駆動システムは風量制御の風速レベルを自動的にローレベルに切り換え、これにより環境温度を迅速に下げる。反対に、環境温度を徐々に高くし、使用者に非常に快適な使用状態（環境温度）を提供する。
【図面の簡単な説明】
【００２４】
【図１】本考案の実施例の赤外線伝送自動温度制御の負荷装置のシステムブロック図である。
【図２】本考案の実施例の赤外線伝送自動温度制御の負荷装置の電気回路図である。
【図３】本考案の実施例の赤外線伝送自動温度制御の負荷装置の別の電気回路図である。
【符号の説明】
【００２５】
１０  赤外線リモコン発射装置          １２  温度センサ
２０、２０Ａ  コントローラ            ２２  リモコン受信器
２４  キー入力システム                ２６  表示装置
３０、３０Ａ  ファンモータ駆動システム  ３２  電源システム
【図１】
0003110031.tif 000003
【図２】
0003110031.tif 000004
【図３】
0003110031.tif 000005